(57)【要約】【課題】昇降コード１３を取り外すことなくカーテン生地１１とストッパー１９を一緒に固定支持体２０から取り外して洗濯することが出来、開閉使用時に昇降コードに引っ張られてカーテン生地やストッパーが脱落することがないように、それらを着脱自在に確り固定支持体２０に取付固定する。【解決手段】カーテン生地を着脱自在に固定支持体２０に取付固定すると共に、ストッパー１９には、窓枠や吊桿等の固定支持体２０に取付固定されるホルダー２１を着脱自在に取り付ける。ホルダー２１には、固定支持体２０に取付固定された状態においてストッパー１９のずれ落ちを防止する吊受材を設ける。【選択図】      図１
2004223088.tif 000002
【特許請求の範囲】
【請求項１】
（ａ）  ガイド孔（１２）が設けられており、そのガイド孔（１２）に昇降コード（１３）が挿通されているカーテン生地（１１）と、昇降コード（１３）を引き込む引込口（１６）と、昇降コード（１３）を引き出す引出口（１７）を有し、その引込口（１６）と引出口（１７）の間に昇降コードを挿通自在に囲む空洞（１８）が形成されており、その空洞内（１８）に引込口（１６）から引出口（１７）まで挿通された昇降コード（１３）を解放自在に把持するロック手段を有するストッパー（１９）とによって構成され、
（ｂ）  カーテン生地（１１）に取り付けられている昇降コード（１３）が、ストッパー（１９）の引込口（１６）から引出口（１７）まで挿通されており、その昇降コード（１３）を介してカーテン生地（１１）とストッパー（１９）が連結されており、
（ｃ）  カーテン生地（１１）が取り付けられる窓枠や吊桿等の固定支持体（２０）に取付固定されるホルダー（２１）が、ストッパー（１９）に着脱自在に取り付けられており、
（ｄ）  固定支持体（２０）に取付固定された状態において、ストッパー（１９）のずれ落ちを防止する吊受材がホルダー（２１）に設けられていることを特徴とするたくし上げカーテン。
【発明の詳細な説明】
【０００１】
【発明の属する技術分野】
本発明は、カーテン生地に設けたガイド孔に昇降コードを挿通し、その昇降コードの一端をカーテン生地に接合し、その昇降コードの他端を引っ張り、カーテン生地の昇降コードとの接合箇所を吊り上げて開閉使用されるローマンシエードカーテン、バーチカルプリーツカーテン、スタイルカーテン、バーチカルブラインド等の吊上開閉式カーテン（以下、たくし上げカーテンと総称する。）に関するものである。
【０００２】
【従来の技術】
カーテン生地は、その上縁を窓枠や吊桿、壁面等の固定支持体（以下、単に固定支持体とも言う。）に取付固定して吊り降ろされ、昇降コードを引いて昇降操作し開閉使用される。昇降コードは、カーテン生地の下縁が所要の高さに達した時点で解放自在に把持して停止させるためのストッパーに挿通されている。ストッパーは、カーテン生地と同様に窓枠や吊桿、壁面等の固定支持体に取付固定されるようになっている。市販されている多くのたくし上げカーテンは、カーテン生地の上縁を着脱自在に取付固定する吊桿がセットになっており、その吊桿の片端にストッパーが取り付けられている。その吊桿は、トップバー或いはレールとも称され、それには通常の横開き式カーテンのランナーが走行するカーテンレールが代用されることもある。カーテン生地を吊桿に着脱自在に取付固定する係止手段には、雌雄対応する面ファスナーが利用されている（例えば、特許文献１、特許文献２参照）。ストッパー内部には、昇降コードを解放自在に把持するロック手段が装着されている。ロック手段としては、遊動歯車とバックアッブバーによって昇降コードを挟持するもの（例えば、特許文献３、特許文献４参照）、揺動レバーとバックアッブバーによって昇降コードを挟持するもの（例えば、特許文献５参照）、振子とバックアッブバーによって昇降コードを挟持するもの（例えば、特許文献６参照）などが公知である。
【０００３】
【特許文献１】
実開平０６−０６４５９１号公報（図２）
【特許文献２】
実開昭６３−１５５４８５号公報（第６図）
【特許文献３】
実開平０７−００１２８６号公報（図３）
【特許文献４】
実開平０６−０３６４７２号公報（図１）
【特許文献５】
実開昭６１−１２６８８４号公報（第２図）
【特許文献６】
実開昭６０−００６４９２号公報（第３図）
【０００４】
【発明が解決しようとする課題】
従来のたくし上げカーテンでは、カーテン生地に取り付けられた昇降コードが、窓枠や吊桿に取付固定されたストッパーに挿通されている。このため、カーテン生地を取替洗濯するときは、昇降コードをカーテン生地とストッパーとの何れかから取り外さなければならなくなる。即ち、昇降コードをストッパーから取り外してカーテン生地と一緒に洗濯するか、又は、昇降コードをカーテン生地から取り外してカーテン生地だけを洗濯することになる。しかし実際には、１枚のカーテン生地に何本もの昇降コードが取り付けられており、その全ての付け替えにはそれなりの技量と手間を要するので、昇降コードをカーテン生地からではなくストッパーから取り外し、カーテン生地と一緒に昇降コードを洗濯するケースが多く、昇降コードを取り外し易く工夫されたストッパーも市販されている。
【０００５】
そのように、昇降コードを取り外し易く工夫されたストッパーが市販されていても、ストッパーには、カーテン生地に取り付けられた何本もの昇降コードが挿通されており、その１本１本を見分けながらストッパーに付け替えするにもそれなりの技量と手間を要し、その煩わしさの故に、長期洗濯せず汚れたまま使用しているのが実情である。
【０００６】
そこで本発明者は、ストッパーをカーテン生地と一緒に窓枠や吊桿から取り外し、昇降コードだけではなくストッパーもカーテン生地と一緒に洗濯することを思い立ち、ストッパーをカーテン生地に取り付け、カーテン生地と一緒にストッパーも窓枠や吊桿に着脱自在に取付固定することを試みた。ところが、そのようにしても洗濯時に昇降コードやストッパーが邪魔にならないとしても、窓枠や吊桿に着脱自在に取付固定するカーテン生地にストッパーを取り付けることにしたので、カーテン生地と一緒にストッパーを窓枠や吊桿に取付固定して開閉使用するとき、その開閉操作する昇降コードに引っ張られてストッパーに作用する応力がストッパーを介して着脱自在なカーテン生地と窓枠や吊桿の間に作用し、ストッパーが取り付けられている部位から始まってカーテン生地全体が窓枠や吊桿から外れて脱落する危険があることが判明した。
【０００７】
【発明の目的】
そこで本発明は、昇降コードだけではなくストッパーもカーテン生地と一緒に洗濯することが出来るようにするにしても、窓枠や吊桿に着脱自在に取付固定したカーテン生地が、開閉操作する昇降コードに引っ張られて窓枠や吊桿から不意に外れて脱落することがないようにしようとするものである。
【０００８】
【課題を解決するための手段】
本発明に係るたくし上げカーテンは、（ａ）  ガイド孔１２が設けられており、そのガイド孔１２に昇降コード１３が挿通されているカーテン生地１１と、昇降コード１３を引き込む引込口１６と、昇降コード１３を引き出す引出口１７を有し、その引込口１６と引出口１７の間に昇降コードを挿通自在に囲む空洞１８が形成されており、その空洞内１８に引込口１６から引出口１７まで挿通された昇降コード１３を解放自在に把持するロック手段を有するストッパー１９とによって構成され、（ｂ）  カーテン生地１１に取り付けられている昇降コード１３が、ストッパー１９の引込口１６から引出口１７まで挿通されており、その昇降コード１３を介してカーテン生地１１とストッパー１９が連結されており、（ｃ）  カーテン生地１１が取り付けられる窓枠や吊桿等の固定支持体２０に取付固定されるホルダー２１が、ストッパー１９に着脱自在に取り付けられており、（ｄ）  固定支持体２０に取付固定された状態において、ストッパー１９のずれ落ちを防止する吊受材がホルダー２１に設けられていることを特徴とする。
【０００９】
【発明の実施の形態】
本発明において、ホルダーとストッパーが「着脱自在」とは、格別な治具や道具を使用することなく、ホルダーとストッパーの一方を手に持って他方に嵌め合わせる、嵌め込む、載せる、被せる、押し付ける、押し倒す、倒し込む、或いは、回し込む等と言った指先の単純動作によって手軽に一体化することが出来、且つ、そのような単純動作によってホルダーとストッパーに手軽に分離することの出来る状態にあることを意味する。以下、ホルダー２１とストッパー１９の着脱自在な組合構造について、図１と図２を参照しつつ具体的に説明する。
【００１０】
図１と図２は、同じ形態のストッパー１９に着脱自在に取り付けられる３つの形態のホルダーをそれぞれ図示している。ストッパー１９は、正面材４１と背面材４２と上面材４３と下面材４４と左右の側面材４５・４６に囲まれた概して筐形（立方体）を成し、上面材４３と下面材４４には、それぞれ左側面材４５から右側面材４６まで真っ直ぐ切除されたスリット溝が付けられており、それらのスリット溝は、それぞれ昇降コードを引き込む引込口１６と、昇降コードを引き出す引出口１７を構成している。左側面材４５と正面材４１と右側面材４６と背面材４２には、上面材４３と下面材４４に平行に続き、ストッパー１９の周囲を一巡する凹溝４７が付けられていている。
【００１１】
引込口１６から引出口１７に至る間は、昇降コードを解放自在に把持するロック手段を装着するための空洞１８になっている。ロック手段には、前記実開平７−１２８６と実開平６−３６４７２に記載されている遊嵌歯車式のもの、実開昭６１−１２６８８４に記載されている揺動レバー式のもの、実開昭６０−６４９２に記載されている振子式のもの等、公知の全てのロック手段を適用することが出来る。
【００１２】
図１に図示する第１の形態のホルダー２１Ａは、背面材２３Ａと、その背面材２３Ａを短形に縁取る左側面材２４Ａと、右側面材２５Ａと、上面材２６Ａと下面材２２Ａによって筐形に構成されている。背面材２３Ａを縁取る左右側面材２４・２５Ａと上下面材２６Ａ・２２Ａは、その背面材２３Ａに向かう前後方向においてストッパー１９が嵌合する凹部２７Ａを構成しており、その下面材２２Ａが、ストッパー１９のずれ落ちを防止する吊受材を構成している。
【００１３】
図１に図示する第２の形態のホルダー２１Ｂは、背面材２３Ｂと、その背面材２Ｂ３の三方をコ字形に縁取る上面材２６Ｂと片側面材２４Ｂと下面材２２Ｂによって筐形に構成されている。上面材２６Ｂの正面側縁は、下面材側に向けて折れ曲がったフランジ２８を形成し、下面材２２Ｂの正面側縁は、上面材側に向けて折れ曲がったフランジ２９を形成しており、それら上下のフランジ２８・２９の間は、ホルダー２１Ｂの側面側に向けて開放されており、ストッパー１９に嵌合する蟻溝３０を構成しており、その下面材２２Ｂがストッパー１９のずれ落ちを防止する吊受材を構成している。
【００１４】
図１に図示する第３の形態のホルダー２１Ｃは、背面材２３Ｃと、その背面材２３Ｃの左右側縁から突き出た左側面材２４Ｃと右側面材２５Ｃ、および、それら左右の側面材２４Ｃ・２５Ｃの間を連結する正面材３１Ｃによって筒形に構成されている。背面材２３Ｃと左右側面材２５Ｃ・２６Ｃと正面材３１Ｃは、上下方向においてストッパー１９が嵌合する筒形空洞３３を構成しており、その空洞３３の底面２２Ｃが、ストッパー１９のずれ落ちを防止する吊受材を構成している。
【００１５】
図２に図示する第４の形態のホルダー２１Ｄは、左側面材２４Ｄと背面材２３Ｄと右側面材２５Ｄがそれぞれ直角に折れ曲がって連続し、概してコ字形に構成されている。その平行に向き合う左側面材２４Ｄと右側面材２５Ｄの間は、ストッパーに嵌合する凹部２７Ｄを構成している。左側面材２４Ｄと右側面材２５Ｄからは、その凹部内２７Ｄで平行に向き合って背面材２３Ｄに直交するリブ３４Ｄが突出しており、それらのリブ３４Ｄ・３４Ｄが、凹部２７Ｄに嵌合するストッパー１９の凹溝４７に嵌合してストッパー１９のずれ落ちを防止する吊受材を構成している。
【００１６】
図２に図示する第５の形態のホルダー２１Ｅは、背面材２３Ｅと上面材２６Ｅと正面材３１Ｅがそれぞれ直角に折れ曲がって連続し、概してコ字形に構成されている。その平行に向き合う背面材２３Ｅと正面材３１Ｅの間は、ストッパー１９に嵌合する凹部２７Ｅを構成している。その背面材２３Ｅと正面材３１Ｅからは、凹部内２７Ｅで平行に向き合うリブ３４Ｅ・３４Ｅが上面材２６Ｅに平行に突出している。それらのリブ３４Ｅ・３４Ｅは、凹部２７Ｅに嵌合するストッパー１９の凹溝４７に嵌合し、その凹部２７Ｅに嵌合したストッパー１９のずれ落ちを防止する吊受材を構成している。
【００１７】
図２に図示する第６の形態のホルダー２１Ｆは、上面材２６Ｅの底面３８に突設した突起３５から、上面材２６Ｅに平行に、且つ、互いに突出方向を逆向きに舌片３６・３７を突出して構成されている。それらの舌片３６・３７は、それらの舌片３６・３７にストッパーの引込口１６を成しているスリット溝を嵌合させ、そのまま突起３５の軸芯の回りにストッパー１９（スリット溝１６）を９０度回すと、ストッパーの引込口１６（スリット溝）の溝縁３９・４０に引っ掛かる。そのように、図２に図示する第６の形態のホルダー２１Ｆでは、その引込口１６の溝縁３９・４０に引っ掛かる舌片３６・３７が、ストッパー１９のずれ落ちを防止する吊受材を構成している。
【００１８】
図１と図２に図示する６つのホルダーの形態が示すように、ストッパー１９は、ホルダー２１に対し、上下、前後、左右の何れの方向からも着脱自在に構成することが出来、又、第６の形態のホルダー２１Ｆが示すように、回転方向において着脱自在に構成することも出来る。図示するホルダー２１の各部材は一体成形されているが、ホルダー２１は、それらの各部材を個別に成形し、それらによって組み立てる組立式にすることも出来る。
【００１９】
図１と図２に図示する５つの形態のホルダー２１Ａ・２１Ｂ・２１Ｃ・２１Ｄ・２１Ｅのストッパー１９と嵌合する凹部２７Ａと蟻溝３０、筒形空洞３３、凹部２７Ｄ、および、凹部２７Ｅは、ストッパー１９の外面に密着するようになっており、それらの嵌合部には、嵌合したストッパー１９の振れ動きを止めるためのバネや爪等の補助的部材が適宜取り付けられる。例えば、図１では、ホルダー２１Ａの凹部２７Ａに向けてストッパー１９を水平に移動して嵌め込むように図示しているが、ホルダーの上面材２６Ａをバネで構成し、ストッパー１９を傾けてその下面材４４をホルダーの下面材２２Ａに一旦載せ、それから倒し込むようにストッパー１９をホルダーの凹部２７Ａに押し込み、ストッパーの上面材４３とホルダーの上面材２６Ａが密着し、ホルダーの上面材２６Ａと下面材２２Ａの間でストッパー１９が弾性的圧迫力を受けて挟持されるようにすることも出来る。図２に図示するストッパー１９の引込口１６の溝縁３９・４０が嵌合する第６の形態のホルダー２１Ｆの舌片３６・３７の寸法は、引込口１６の溝幅に合わせ、又、それらの舌片３６・３７と上面材２６Ｅの底面３８との間の溝（隙間）の寸法は、その溝（隙間）に引込口１６の溝縁３９・４０を圧入することが出来るように、引込口１６の溝縁３９・４０の厚みに合わせて設定される。図１と図２に図示する各ホルダー２１Ａ・２１Ｂ・２１Ｃ・２１Ｄ・２１Ｅ・２１Ｆには、それらを窓枠や吊桿、壁面等の固定支持体２０にビス止めするためのビス孔４８や、固定支持体２０に取付固定するためのブラケントが適宜取り付けられる。
【００２０】
図３は、吊桿２０に取り付けられて使用状態にあるローマンシエードカーテンを図示し、図４は、吊桿２０に係脱する過程におけるカーテン生地１１とストッパー１９を図示する。図３と図４に図示するローマンシエードカーテンは、カーテン生地１１に設けたガイド孔１２に昇降コード１３を挿通し、その昇降コードの一端１４がカーテン生地の下端部３２に接合されており、昇降コードの先端１５を引いて開閉使用される。図中、４９は、カーテン生地１１の不意の振れを止め、カーテン生地１１の降下を促す重錘である。
【００２１】
【発明の効果】
本発明のたくし上げカーテンは、カーテン生地１１とストッパー１９が昇降コード１３を介して一体化して構成され、カーテン生地１１は窓枠や吊桿、壁面等の固定支持体２０に着脱自在に取付固定され、ストッパー１９も固定支持体２０に確り取付固定されるホルダー２１に着脱自在に取付固定されるようになっている。このため、昇降コード１３を取り外すことなくカーテン生地１１とストッパー１９を一緒に固定支持体２０から取り外して洗濯することが出来る。そのように、本発明によると、昇降コード１３を取り外す煩わしさがなくなるので、たくし上げカーテンを随時洗濯して常時クリーンに保つことが出来る。
【００２２】
そして、固定支持体２０に取付固定して開閉使用するとき、その開閉操作する昇降コードに引っ張られてストッパーに作用する応力は、ホルダー２１を介して固定支持体２０にだけ伝わり、カーテン生地１１と固定支持体２０の間には伝わらず、固定支持体２０に確り取付固定されるホルダー２１には、ストッパー１９のずれ落ちを防止する吊受材が設けられているので、昇降コード１３に引っ張られてストッパー１８がホルダー２１から外れることがなく、たくし上げカーテンを安心して開閉使用することが出来る。
【図面の簡単な説明】
【図１】本発明に係るストッパーとホルダーとの組立斜視図である。
【図２】本発明に係るストッパーとホルダーとの組立斜視図である。
【図３】本発明に係るたくし上げカーテンの正面図である。
【図４】本発明に係るたくし上げカーテンの正面図である。
【符号の説明】
１１  カーテン生地
１２  ガイド孔
１３  昇降コード
１４  昇降コードの一端
１５  昇降コードの他端
１６  引込口
１７  引出口
１８  空洞
１９  ストッパー
２０  固定支持体（吊桿）
２１Ａ・２１Ｂ・２１Ｃ・２１Ｄ・２１Ｅ・２１Ｆ  ホルダー
２２Ａ・２２Ｂ・２２Ｃ・２２Ｄ・２２Ｅ・２２Ｆ  下面材（底面）
２３Ａ・２３Ｂ・２３Ｃ・２３Ｄ・２３Ｅ・２３Ｆ  背面材
２４Ａ・２４Ｂ・２４Ｃ・２４Ｄ・２４Ｅ・２４Ｆ  左側面材（片側面材）
２５Ａ・２５Ｂ・２５Ｃ・２５Ｄ・２５Ｅ・２５Ｆ  右側面材
２６Ａ・２６Ｂ・２６Ｃ・２６Ｄ・２６Ｅ・２６Ｆ  上面材
２７  凹部
２８・２９  フランジ
３０  蟻溝
３１Ａ・３１Ｂ・３１Ｃ・３１Ｄ・３１Ｅ・３１Ｆ  正面材
３２  下端部
３３  空洞
３４Ｄ・３４Ｅ  リブ
３５  突起
３６・３７  舌片
３８  底面
３９・４０  溝縁
４１  正面材
４２  背面材
４３  上面材
４４  下面材
４５  左側面材
４６  右側面材
４７  凹溝
４８  ビス孔
４９  重錘
【図１】
2004223088.tif 000003
【図２】
2004223088.tif 000004
【図３】
2004223088.tif 000005
【図４】
2004223088.tif 000006